(57)【要約】【課題】自機の固有の情報を誤って変更してしまうことを確実に防止する映像表示装置を提供する。【解決手段】映像表示装置は、自機に関する複数種類の機器情報が格納されたメモリを備え、コンピュータと接続されるとコンピュータによってメモリに格納された機器情報が読み出され、その読み出された機器情報に基づいた信号がコンピュータから入力される。メモリに格納され、コンピュータに入力される複数の機器情報のうちの特定の機器情報であるメーカ名、製品コード、製品のシリアル番号、及び製品名は書き換え不可能な機器情報とした。【選択図】図６
2018067819.tif 000002
【特許請求の範囲】
【請求項１】
自機に関する複数種類の機器情報が格納されたメモリを備え、コンピュータと接続されると前記コンピュータによって前記メモリに格納された機器情報が読み出され、その読み出された機器情報に基づいた信号が前記コンピュータから入力される映像表示装置であって、
前記メモリに格納され、前記コンピュータに入力される複数の機器情報のうちの特定の機器情報は、書き換え不可能な機器情報とし、
前記複数種類の機器情報のうちの前記特定の機器情報以外の機器情報は、書き換え可能な機器情報になされている、映像表示装置。
【請求項２】
前記複数種類の機器情報の中で、
前記書き換え可能な機器情報には、解像度情報を少なくとも含み、
前記書き換え不能な特定の機器情報は、メーカ名、製品コード、製品のシリアル番号、及び製品名である、請求項１に記載の映像表示装置。
【発明の詳細な説明】
【技術分野】
【０００１】
本開示は、光源からの光を変調してスクリーンなどの被投写物に投写する投写型映像表示装置（プロジェクタ）等の映像表示装置に関する。
関する。
【背景技術】
【０００２】
近年、コンピュータの映像処理性能が飛躍的に向上したことと、高性能なコンピュータを比較的に安価に入手できるようになった背景から、コンピュータを映像信号源として使用し、映像表示装置に接続して映像を表示させる場面がますます増加している。その為、ユーザの所望の解像度および周波数の映像信号をコンピュータに出力させるニーズが高まっている。
【０００３】
従来、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）は映像表示装置の仕様に合わせた映像信号を映像信号源に出力させることを容易にする目的で使用されてきた。しかし、上記の背景からユーザの所望の映像信号をコンピュータに出力させる目的も重要になっている。
【０００４】
特許文献１は、既存のシステムを利用しつつ、モニタを駆動するコンピュータシステムに応じて、任意のビデオ入力の使用数をモニタに対応させることが開示されている。これにより、対応可能な画像信号転送用の周波数、ビデオ出力本数などを最適に設定することができる。
【０００５】
特許文献２は、複数のＥＤＩＤを記憶する記憶手段を有する表示装置が開示されている。これにより、外部機器から入力される映像信号の表示仕様にあわせて表示装置の表示仕様を自動的に設定することが可能となり、また、ＥＤＩＤを記憶した不揮発性メモリの数を削減して安価な表示装置を提供できる。
【０００６】
特許文献３は、ホームネットワークシステムで使用する家電機器アダプタ内で動作するソフトウェアを外部からダウンロードした場合のソフトウェアの安全性を高める手段が開示されている。これにより、不正なソフトウェアの動作を防止することができる。
【先行技術文献】
【特許文献】
【０００７】
【特許文献１】特開２００５−８４８８１号公報
【特許文献２】特開２００７−２０６５９８号公報
【特許文献３】特開２００６−１２７０２１号公報
【発明の概要】
【発明が解決しようとする課題】
【０００８】
ＥＤＩＤをユーザが作成して映像表示装置に設定する場合に次のような課題がある。ＥＤＩＤには、製品のＩＤ情報（ＩＤ  Ｍａｎｕｆａｃｔｕｒｅ  Ｎａｍｅ，ＩＤ  Ｐｒｏｄｕｃｔ  Ｃｏｄｅ,ＩＤ  Ｓｅｒｉａｌ  Ｎｕｍｂｅｒ）、製品名情報（Ｐｒｏｄｕｃｔ  Ｎａｍｅ）が含まれている。映像信号源と映像表示装置を接続した映像表示システムを構築して運用する場合に、ＥＤＩＤの製品のＩＤ情報（製品ＩＤ）や製品名情報（製品名）を利用することができる。ところが、ユーザが作成したＥＤＩＤに含まれる製品ＩＤや製品名が編集の過程で誤ってしまうと、正しい情報ではなくなる為に、円滑に映像表示システムを運用することができなくなる恐れがある。
【０００９】
しかしながら、上記従来技術の組み合わせでは、映像表示装置のＥＤＩＤに関して、ユーザがＥＤＩＤを自由に変更できるようにすることと、ユーザの不利益を防止する目的でＥＤＩＤに含まれる特定の情報に関しては変更できないように保護することとを両立させることは不可能だった。
【００１０】
本開示は、ＥＤＩＤに含まれる特定の情報を保護しつつ、その他の情報を自由に変更することが可能な映像表示装置を提供する。
【課題を解決するための手段】
【００１１】
本開示は、自機に関する複数種類の機器情報が格納されたメモリを備え、コンピュータと接続されるとコンピュータによってメモリに格納された機器情報が読み出され、その読み出された機器情報に基づいた信号がコンピュータから入力される映像表示装置であって、メモリに格納され、コンピュータに入力される複数の機器情報のうちの特定の機器情報はコンピュータで書き換え不可能な機器情報とし、複数種類の機器情報のうちの特定の機器情報以外の機器情報は書き換え可能な機器情報になされている。
【発明の効果】
【００１２】
本開示における映像表示装置は、ユーザが作成したＥＤＩＤを設定する仕組みを備えた映像表示装置において、映像表示装置の固有の情報を誤って変更してしまうことを確実に防止するのに有効である。
【図面の簡単な説明】
【００１３】
【図１】実施の形態のプロジェクタとコンピュータとの接続構成を示すブロック図
【図２】実施の形態のプロジェクタのブロック図
【図３】実施の形態における主記憶部に記憶されたＥＤＩＤのメモリマップ図
【図４Ａ】実施の形態におけるデフォルトＥＤＩＤの構成図
【図４Ｂ】実施の形態におけるユーザＥＤＩＤの構成図
【図４Ｃ】実施の形態におけるユーザＥＤＩＤをコピーした状態を示す構成図
【図４Ｄ】実施の形態におけるカスタムＥＤＩＤの構成図
【図５】実施の形態におけるＯＳＤメニューを示す図
【図６】実施の形態におけるＥＤＩＤの変更動作の説明図
【図７】実施の形態におけるＥＤＩＤの処理のフローチャート
【発明を実施するための形態】
【００１４】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１５】
なお、添付図面および以下の説明は、当業者が本開示を十分に理解するために、提供されるのであって、これらにより特許請求の範囲に記載の主題を限定することは意図されていない。
【００１６】
（実施の形態）
以下、図１〜図７を用いて、実施の形態の投写型映像表示装置（以下、「プロジェクタ」とも言う）を説明する。
【００１７】
［１．構成］
［１−１．接続構成］
図１は、実施の形態にかかるプロジェクタ１００に、投写用映像信号の映像信号源である映像用コンピュータ２００と制御用コンピュータ３００とを接続した際の状態を示す模式図である。
【００１８】
映像用コンピュータ２００は、映像信号出力部２０１に接続された映像信号ケーブル４００を介して、プロジェクタ１００の映像信号入力部１２０に接続されている。そして、制御用コンピュータ３００は、制御信号出力部３０１に接続された通信ケーブル５００を介して、プロジェクタ１００の制御信号入力部１３０に接続されている。
【００１９】
ここで、映像信号出力部２０１には、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ：登録商標）端子やＤＶＩ（Ｄｉｇｉｔａｌ  Ｖｉｓｕａｌ  Ｉｎｔｅｒｆａｃｅ）端子が使用できるが、本実施の形態ではＤＶＩ端子が使用されている。映像信号ケーブル４００には、ＨＤＭＩケーブルやＤＶＩケーブルが使用できるが、ここではＤＶＩケーブルが使用される。制御信号出力部３０１には、ＬＡＮ端子やＲＳ２３２Ｃ端子が利用できるが、本実施の形態ではＬＡＮ端子が使用される。また、通信ケーブル５００にはＬＡＮケーブルやＲＳ２３２Ｃケーブルが利用できるが、ここではＬＡＮケーブルが使用される。
【００２０】
映像用コンピュータ２００は、プロジェクタ１００からＥＤＩＤを読み出して、そのデータに応じた映像信号を出力する。この映像信号は映像信号ケーブル４００によって伝送され、プロジェクタ１００の映像信号入力部１２０に入力される。
【００２１】
制御用コンピュータ３００は、ユーザが作成したＥＤＩＤをプロジェクタ１００に設定するために用いる。ＥＤＩＤは制御用コンピュータ３００上で動作する専用のアプリケーションによりプロジェクタ１００に送信される。
【００２２】
［１−２．プロジェクタの構成］
図２のブロック図を用いて、プロジェクタ１００の構成について説明する。
【００２３】
［１−２−１．プロジェクタの全体構成］
プロジェクタ１００は、映像信号入力部１２０と、制御信号入力部１３０と、操作部１４０と、映像信号受信部１５０と、選択部１５１と、ＥＤＩＤ記憶部１５２と、映像信号処理部１６０と、主制御部１７０と、主記憶部１８０と、映像光生成部１９０とを備える。
【００２４】
映像用コンピュータ２００から映像信号入力部１２０に入力されたデジタル映像信号は、映像信号受信部１５０で受信され、映像信号処理部１６０に供給される。
【００２５】
主制御部１７０は、マイクロコンピュータで構成される。主記憶部１８０は、フラッシュメモリやＲＯＭ（Ｒｅａｄ−Ｏｎｌｙ  Ｍｅｍｏｒｙ）によって構成される。主記憶部１８０へのＥＤＩＤの書き込み、読出しは主制御部１７０によって行われる。
【００２６】
主制御部１７０は、また、映像信号処理部１６０を制御してＯＳＤ（Ｏｎ  Ｓｃｒｅｅｎ  Ｄｉｓｐｌａｙ）を表示したり、選択部制御ラインを介して選択部１５１の制御を行ったり、映像信号入力部１２０にＨｏｔ  Ｐｌｕｇ信号ラインを介してＨｏｔ  Ｐｌｕｇ信号を供給するなどの、プロジェクタ１００の各種の制御を行う。
【００２７】
ＥＤＩＤ記憶部１５２は、電気的に書換え可能なメモリ、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）によって構成され、第１Ｉ２Ｃバスを介して供給されるＥＤＩＤを記憶する。このＥＤＩＤ記憶部１５２は、０〜２５５のアドレスを有し、その記憶容量は２５６バイトであり、２５６バイトの書き込み用のデータによって、全てのデータが書換えられる。
【００２８】
映像光生成部１９０は、光源部１９１と、光源部１９１からの光から照明光を生成する照明部１９２と、照明部１９２からの照明光を映像信号処理部１６０からの映像信号に基づいて変調し映像光を生成する映像生成部１９３と、映像生成部１９３から映像光をスクリーン９００に拡大投写する投写部１９４とからなる。光源部１９１は、メタルハライドランプ等のランプ光源や、半導体レーザを使用した固体光源が使用できる。映像生成部１９３は、ＤＭＤ（Ｄｉｇｉｔａｌ  Ｍｉｃｒｏｍｉｒｒｏｒ  Ｄｅｖｉｃｅ）やＬＣＤ（Ｌｉｑｕｉｄ  Ｃｒｙｓｔａｌ  Ｄｉｓｐｌａｙ）が使用できる。
【００２９】
制御信号入力部１３０に入力された制御信号は、主制御部１７０に供給される。また、制御信号入力部１３０は、主制御部１７０からの制御信号を受け取り制御用コンピュータ３００に供給する。制御信号入力部１３０には、ＬＡＮ端子やＲＳ２３２Ｃ端子が利用できるが、本実施の形態ではＬＡＮ端子が使用されている。
【００３０】
映像信号入力部１２０には、ＨＤＭＩ端子やＤＶＩ端子が使用でき、本実施の形態ではＤＶＩ端子が使用されている。
【００３１】
操作部１４０は、プロジェクタ１００の本体に設けられたコントロール・キーで構成されている。
【００３２】
［１−２−２．選択部］
選択部１５１は、主制御部１７０の制御によって、ＥＤＩＤ記憶部１５２に接続された第１Ｉ２Ｃバスを、映像信号入力部１２０に接続された第２Ｉ２Ｃバスを選択して接続する第１の制御状態か、主制御部１７０に接続された第３Ｉ２Ｃバスを選択して接続する第２の制御状態のいずれか一方の状態をとる。すなわち、選択部１５１は図２で模式的に示されるような選択スイッチの機能を有しており、第１の制御状態では第１Ｉ２Ｃバスに接続された端子ａがスイッチ片Ｓによって第２Ｉ２Ｃバスに接続された端子ｂに接続される状態である。また、選択部１５１は、第２の制御状態では第１Ｉ２Ｃバスに接続された端子ａがスイッチ片Ｓによって第３Ｉ２Ｃバスに接続された端子ｃに接続される状態（スイッチ片を点線で示す）である。
【００３３】
選択部１５１の第１の制御状態は、映像信号入力部１２０に接続された信号源である映像用コンピュータ２００がＥＤＩＤ記憶部１５２に記憶されたＥＤＩＤを読み出すことができるように、Ｉ２Ｃバスの経路を確立した状態である。このとき、主制御部１７０は、映像信号入力部側の第２Ｉ２Ｃバスを選択するように選択部１５１を制御する。
【００３４】
選択部１５１の第２の制御状態は、主制御部１７０が主記憶部１８０から読み出したＥＤＩＤをＥＤＩＤ記憶部１５２に書き込むことができるように、Ｉ２Ｃバスの経路を確立した状態である。このとき、主制御部１７０は、主制御部側の第３Ｉ２Ｃバスを選択するように選択部１５１を制御する。
【００３５】
［１−２−３．主記憶部とＥＤＩＤ］
主記憶部１８０は、プロジェクタ１００のデフォルトのＥＤＩＤ(「ＥＤＩＤ＿Ａ」と定義する)と、ユーザよって作成されたＥＤＩＤ(「ＥＤＩＤ＿Ｂ」と定義する)と、主制御部１７０によって生成されたＥＤＩＤ(「ＥＤＩＤ＿Ｃ」と定義する)を記憶する。尚、以下の説明において、「デフォルトのＥＤＩＤ」を「デフォルトＥＤＩＤ」、「ユーザよって作成されたＥＤＩＤ」を「ユーザＥＤＩＤ」、「主制御部によって生成されたＥＤＩＤ」を「カスタムＥＤＩＤ」と称することにする。
【００３６】
図３は、主記憶部１８０に記憶されたデフォルトＥＤＩＤであるＥＤＩＤ＿Ａ、
ユーザＥＤＩＤであるＥＤＩＤ＿Ｂ、及びカスタムＥＤＩＤであるＥＤＩＤ＿Ｃのデータの格納状態を示している。
【００３７】
この図３において、アドレスは１０進表記であり、ａ〜ａ＋２５５は、例えばａが「１」であれば１〜２５６のアドレスを表している。ｂ〜ｂ＋２５５は、ａ〜ａ＋２５５と重ならないアドレスであり、例えばｂは「２５７」であるとすると、２５７〜５１２のアドレスを表している。同様に、ｃ〜ｃ＋２５５は、ａ〜ａ＋２５５とｂ〜ｂ＋２５５と重ならないアドレスであり、例えばｃが「５１３」であるとすると、５１３〜７６８のアドレスを表している。
【００３８】
デフォルトＥＤＩＤ(ＥＤＩＤ＿Ａ)は、後述するＯＳＤメニューでＥＤＩＤ設定としてデフォルトが選択された場合に、主制御部１７０によってＥＤＩＤ記憶部１５２に書き込まれるデータであり、図４Ａはその一例を示している。ここで、アドレス（ａ＋８）〜（ａ＋９）にはメーカ名（Ｍａｎｕｆａｃｔｕｒｅ  Ｎａｍｅ）のデータが格納されている。アドレス（ａ＋１０）〜（ａ＋１１）には製品コード（Ｐｒｏｄｕｃｔ  Ｃｏｄｅ）のデータが格納されている。アドレス（ａ＋１２）〜（ａ＋１５）には製品のシリアル番号（Ｓｅｒｉａｌ  Ｎｕｍｂｅｒ）のデータが格納されている。アドレス（ａ＋９４）〜（ａ＋１０７）には製品名（Ｐｒｏｄｕｃｔ  Ｎａｍｅ）のデータが格納されている。アドレス（ａ＋３５）〜（ａ＋８９）には、映像信号のＴｉｍｉｎｇ情報が格納されており、このＴｉｍｉｎｇ情報に解像度情報、周波数情報が含まれる。
【００３９】
ユーザＥＤＩＤ(ＥＤＩＤ＿Ｂ)は、制御信号入力部１３０から入力されたデータである。入力されたデータを主制御部１７０が受信して、主記憶部１８０に記憶する。図４Ｂはその一例を示している。ここで、アドレス（ｂ＋８）〜（ｂ＋９）にはメーカ名（Ｍａｎｕｆａｃｔｕｒｅ  Ｎａｍｅ）のデータが格納されている。アドレス（ｂ＋１０）〜（ｂ＋１１）には製品コード（Ｐｒｏｄｕｃｔ  Ｃｏｄｅ）のデータが格納されている。アドレス（ｂ＋１２）〜（ｂ＋１５）には製品のシリアル番号（Ｓｅｒｉａｌ  Ｎｕｍｂｅｒ）のデータが格納されている。アドレス（ｂ＋９４）〜（ｂ＋１０７）には製品名（Ｐｒｏｄｕｃｔ  Ｎａｍｅ）のデータが格納されている。アドレス（ｂ＋３５）〜（ｂ＋７０）には、映像信号のＴｉｍｉｎｇ情報が格納されており、このＴｉｍｉｎｇ情報に解像度情報、周波数情報が含まれる。
【００４０】
カスタムＥＤＩＤ(ＥＤＩＤ＿Ｃ)は、ＥＤＩＤ＿ＡとＥＤＩＤ＿Ｂとを用いて、主制御部１７０が生成したデータである。ＯＳＤメニューでＥＤＩＤ設定としてカスタムが選択された場合に、主制御部１７０によってＥＤＩＤ記憶部１５２に書き込まれるデータであり、図４Ｄはその一例を示している。
【００４１】
［１−２−４．制御信号入力部］
制御信号入力部１３０は、制御用コンピュータ３００から送信された情報を受信する。受信した情報には、ユーザＥＤＩＤ(ＥＤＩＤ＿Ｂ)が含まれる。
【００４２】
［２．動作］
以上のように構成されたプロジェクタについて、そのＥＤＩＤ変更動作を図５〜図７を参照しつつ説明する。
【００４３】
図５はＥＤＩＤ設定用のＯＳＤを示す図である。図６はプロジェクタのＥＤＩＤ変更動作を説明する為のフローチャートである。図７はＥＤＩＤの処理のフローチャートである。
【００４４】
ＥＤＩＤの変更は、図１に示したように、プロジェクタ１００と映像用コンピュータ２００とを映像信号ケーブルで接続し、プロジェクタ１００と制御用コンピュータ３００とを通信ケーブル５００で接続した状態で行われる。
【００４５】
ユーザは、操作部１４０を操作することによって、投写画面に図５に示すようなＥＤＩＤ設定用のＯＳＤを表示する。図５（ａ）はＥＤＩＤがデフォトに設定されているときの表示であり、図５（ｂ）はＥＤＩＤをカスタマイズするときの表示であり、カーソルを動かして選択することにより、デフォルトとカスタムを選択できる。
【００４６】
初期状態では、ＯＳＤは図５（ａ）の表示となり、ＥＤＩＤ設定はデフォルトでＥＤＩＤ記憶部１５２の情報はＥＤＩＤ＿Ａとなっており、主記憶部１８０には、このＥＤＩＤ＿Ａだけが格納されている。このとき、Ｈｏｔ  Ｐｌｕｇ信号ラインの電圧はＨｉｇｈ、選択部１５１は映像入力部側の制御状態（第１の制御状態）になっていて、ＥＤＩＤを受信可能となっている。
【００４７】
ユーザが所望のＥＤＩＤをプロジェクタに設定したいとき、ユーザは、まず、制御用コンピュータ３００からユーザが作成したＥＤＩＤ＿Ｂをプロジェクタ１００に送信する（Ｓ１１）。プロジェクタ１００の主制御部１７０は、ＥＤＩＤ＿Ｂを受信すると、ＥＤＩＤ＿Ｂを主記憶部１８０の所定のアドレス（ｂ〜ｂ＋２２５）に格納する（Ｓ１２）。
【００４８】
この後、ＥＤＩＤ設定用のＯＳＤを図５（ｂ）に示すように操作部１４０の操作によってカーソルを「カスタム」を選択するように移動させると、プロジェクタ１００の主制御部１７０は、ユーザによってカスタムへの設定変更をする操作がなされたことを検出する（Ｓ１３）。主制御部１７０は、ユーザによってカスタムへの設定変更をする操作がなされたことを検出するとＨｏｔ  Ｐｌｕｇ信号をＨｉｇｈからＬｏｗに設定する（Ｓ１４）。映像用コンピュータ２００は、プロジェクタ１００からのＨｏｔ  Ｐｌｕｇ信号がＨｉｇｈからＬｏｗに設定されたことを検出する（Ｓ２１）。
【００４９】
主制御部１７０は、Ｈｏｔ  Ｐｌｕｇ信号をＨｉｇｈからＬｏｗに設定すると、次にＥＤＩＤ＿Ｃを生成する処理を行う（Ｓ１５）。このＥＤＩＤ＿Ｃの生成処理の詳細は後述する。
【００５０】
プロジェクタ１００の主制御部１７０が、ＥＤＩＤ＿Ｃを生成すると、この生成したＥＤＩＤ＿ＣをＥＤＩＤ記憶部１５２に格納する（Ｓ１６）。このとき、主制御部１７０は選択部制御ラインから制御信号を選択部１５１に供給して、選択部１５１が第１Ｉ２Ｃバスと第３Ｉ２Ｃバスを接続するように選択する第２の制御状態にし、主記憶部１８０に生成されたＥＤＩＤ＿ＣをＥＤＩＤ記憶部１５２のアドレス０〜２５５に上書きする動作を行う。
【００５１】
主制御部１７０は、ＥＤＩＤ＿ＣをＥＤＩＤ記憶部１５２に格納すると、選択部制御ラインから制御信号を選択部１５１に供給して、選択部１５１が第１Ｉ２Ｃバスと第２Ｉ２Ｃバスを接続するように選択する第１の制御状態にする動作を行ない、Ｈｏｔ  Ｐｌｕｇ信号をＬｏｗからＨｉｇｈに設定する（Ｓ１７）。主制御部１７０は、Ｈｏｔ  Ｐｌｕｇ信号をＬｏｗからＨｉｇｈに設定すると、映像用コンピュータ２００は、プロジェクタ１００からのＨｏｔ  Ｐｌｕｇ信号がＬｏｗからＨｉｇｈに設定されたことを検出する（Ｓ２２）。映像用コンピュータ２００は、Ｈｏｔ  Ｐｌｕｇ信号がＬｏｗからＨｉｇｈに設定されたことを検出すると、プロジェクタ１００からＥＤＩＤを読み出す動作として、プロジェクタ１００に対してＥＤＩＤ送信要求のコマンドの送信を行う（Ｓ１８）。
【００５２】
プロジェクタ１００は、映像用コンピュータ２００からＥＤＩＤ送信要求を受けると、映像用コンピュータ２００にＥＤＩＤ＿Ｃを送信する（Ｓ１９）。
【００５３】
映像用コンピュータ２００は、ＥＤＩＤ＿Ｃを受信すると、その受信したＥＤＩＤに応じた映像信号のプロジェクタ１００への出力を開始する（Ｓ２３）。プロジェクタ１００は、映像用コンピュータ２００から映像信号を受けると、その受信した映像信号を処理し映像を表示する（Ｓ２０）。
【００５４】
次に、ステップＳ１５におけるＥＤＩＤ＿Ｃの生成処理について、図７のフローチャートを参照しつつ説明する。
【００５５】
まず、主制御部１７０は、主記憶部１８０に格納されたＥＤＩＤ＿Ｂ（図４Ｂ）を、ＥＤＩＤ＿Ｃが格納される記憶領域にコピーを行う（Ｓ１１０）。このコピー動作によって、ＥＤＩＤ＿Ｂのアドレスに格納されたデータが図４Ｃに示すようにアドレスｃ〜（ｃ＋２５５）に書き込まれる。
【００５６】
次いで、ＥＤＩＤ＿Ｃの記憶領域に記憶したＥＤＩＤ＿Ｂのデータのうち、ＩＤ  Ｍａｎｕｆａｃｔｕｒｅ  Ｎａｍｅ、ＩＤ  Ｐｒｏｄｕｃｔ  Ｃｏｄｅ、Ｓｅｒｉａｌ  Ｎｕｍｂｅｒに関しては、図４Ａに示すデフォルトのＩＤ  Ｍａｎｕｆａｃｔｕｒｅ  Ｎａｍｅ、ＩＤ  Ｐｒｏｄｕｃｔ  Ｃｏｄｅ、ＩＤ  Ｓｅｒｉａｌ  Ｎｕｍｂｅｒに変更する処理を行う（Ｓ１１１）。すなわち、ＥＤＩＤにおいて、ＩＤ  Ｍａｎｕｆａｃｔｕｒｅ  Ｎａｍｅ、ＩＤ  Ｐｒｏｄｕｃｔ  Ｃｏｄｅ、ＩＤ  Ｓｅｒｉａｌ  Ｎｕｍｂｅｒに関する情報が格納されるアドレスは固定されている。従って、主制御部１７０は、ＥＤＩＤ＿Ａのアドレス（ａ＋８）〜（ａ＋９）、（ａ＋１０）〜（ａ＋１１）、（ａ＋１２）〜（ａ＋１５）を検索して、それらのアドレスにあるデータをコピーする。ＥＤＩＤ＿Ａのアドレス（ａ＋８）〜（ａ＋９）、（ａ＋１０）〜（ａ＋１１）、（ａ＋１２）〜（ａ＋１５）に対応するデータは、ＥＤＩＤ＿Ｃにおいては、ＥＤＩＤ＿Ｂのアドレス（ｂ＋８）〜（ｂ＋９）、（ｂ＋１０）〜（ｂ＋１１）、（ｂ＋１２）〜（ｂ＋１５）に対応するアドレス（ｃ＋８）〜（ｃ＋９）、（ｃ＋１０）〜（ｃ＋１１）、（ｃ＋１２）〜（ｃ＋１５）である。
【００５７】
従って、ＥＤＩＤ＿Ａのアドレス（ａ＋８）〜（ａ＋９）、（ａ＋１０）〜（ａ＋１１）、（ａ＋１２）〜（ａ＋１５）のデータを、アドレス（ｃ＋８）〜（ｃ＋９）、（ｃ＋１０）〜（ｃ＋１１）、（ｃ＋１２）〜（ｃ＋１５）にあるデータに上書きすることによって、図４Ｄに示すようにＥＤＩＣ＿Ｃのデータとして、ＩＤ  Ｍａｎｕｆａｃｔｕｒｅ  Ｎａｍｅ、ＩＤ  Ｐｒｏｄｕｃｔ  Ｃｏｄｅ、ＩＤ  Ｓｅｒｉａｌ  ＮｕｍｂｅｒのデータがＥＤＩＤ＿Ａのデータと同じデータとなる。
【００５８】
次に、主制御部１７０は、ＥＤＩＤ＿Ｃとして生成されるＥＤＩＤにあるＰｒｏｄｕｃｔ  Ｎａｍｅについても、ＥＤＩＤ＿Ａと同じデータとなるように処理をする（Ｓ１１２）。このＰｒｏｄｕｃｔ  Ｎａｍｅは、どのＥＤＩＤでも同じアドレスに格納されるようにはなっておらず、Ｐｒｏｄｕｃｔ  Ｎａｍｅが格納されているアドレスを検索する必要がある。この検索は、Ｐｒｏｄｕｃｔ  Ｎａｍｅ  Ｔａｇ,  データ＝（００  ００  ００  ＦＣ）ｈをサーチすることにより行われる。すなわち、Ｐｒｏｄｕｃｔ  Ｎａｍｅは、Ｐｒｏｄｕｃｔ  Ｎａｍｅ  Ｔａｇのデータが格納されたアドレスの次のアドレスに存在するからである。本実施の形態の場合、ＥＤＩＤ＿ＢのＰｒｏｄｕｃｔ  Ｎａｍｅ  Ｔａｇのアドレス（ｂ＋９０）〜（ｂ＋９３）に対応するＥＤＩＤ＿ＣのＰｒｏｄｕｃｔ  Ｎａｍｅ  Ｔａｇのアドレスは（ｃ＋９０）〜（ｃ＋９３）である。従って、主制御部１７０は、ＥＤＩＤ＿Ａのアドレス（ａ＋９４）〜（ａ＋１０７）にあるＰｒｏｄｕｃｔ  ＮａｍｅをＥＤＩＤ＿Ｃのアドレス（ｃ＋９４）〜（ｃ＋１０７）にコピーする。これにより、図４Ｄに示すようにＰｒｏｄｕｃｔ  ＮａｍｅがＥＤＩＤ＿Ａのデータとなる。また、映像信号のＴｉｍｉｎｇ情報が、変更されることにより、解像度、及び周波数情報がＥＤＩＤ＿Ｂのデータに変更されることとなる。
【００５９】
この後、主制御部１７０は、Ｃｈｅｃｋｓｕｍ処理を行う（Ｓ１１３）。このＣｈｅｃｋｓｕｍ処理は、アドレスｃ〜ｃ＋１２７のデータの総和を２５６で割った余りの値が００ｈとなるような値をアドレス（ｃ＋１２７）に設定する処理であり、処理が終わるとＥＤＩＤ＿Ｃの生成処理が終了する。
【００６０】
［３．効果等］
以上のように、本実施の形態において、主制御部は、ＥＤＩＤ＿Ｂの製品ＩＤと製品名を検索し、ＥＤＩＤ＿Ａの製品ＩＤと製品名データに変更したＥＤＩＤ(ＥＤＩＤ＿Ｃ)を生成し、主記憶部に記憶する。この処理はユーザに依存しない為、主制御部によって確実に実施される。こうすることにより、ＥＤＩＤ記憶部１５２の製品ＩＤと製品名の情報に関しては、デフォルト設定とカスタム設定との間で同一に保持できる。すなわち、ＥＤＩＤ記憶部１５２のＥＤＩＤの製品ＩＤと製品名を保護できる。
【００６１】
信号源はＥＤＩＤ記憶部のＥＤＩＤ＿Ｃを読み出して、そのデータに応じた映像信号を出力する。このとき、信号源によって検出される製品ＩＤと製品名は、ＥＤＩＤ＿Ａのものに一致するので、運用において混乱が生じる恐れは無い。
【００６２】
また、ＥＤＩＤ設定がカスタムからデフォルトに変更された場合、主記憶部に記憶したＥＤＩＤ＿Ａを、ＥＤＩＤ記憶部に上書きする。そうすると、映像信号源はＥＤＩＤ記憶部のＥＤＩＤ＿Ａを読み出して、そのデータに応じた映像信号を出力することができる。このように、デフォルト設定とカスタム設定の変更が容易に実施できる。
【００６３】
これにより、ＥＤＩＤの特定の情報を保護しつつ、その他の情報を自由に変更することが可能な映像表示装置を実現できる。
【００６４】
なお、上述の実施の形態は、本開示における技術を例示するためのものであるから、特許請求の範囲またはその均等の範囲において種々の変更、置き換え、付加、省略などを行うことができる。
【産業上の利用可能性】
【００６５】
本開示は、プロジェクタ等の映像表示装置に適用可能である。
【符号の説明】
【００６６】
１００  プロジェクタ
１２０  映像信号入力部
１３０  制御信号入力部
１４０  操作部
１５０  映像信号受信部
１５１  選択部
１５２  ＥＤＩＤ記憶部
１６０  映像信号処理部
１７０  主制御部
１８０  主記憶部
１９０  映像光生成部
１９１  光源部
１９２  照明部
１９３  映像生成部
１９４  投写部
２００  映像用コンピュータ
２０１  映像信号出力部
３００  制御用コンピュータ
３０１  制御信号出力部
４００  映像信号ケーブル
５００  通信ケーブル
９００  スクリーン
【図１】
2018067819.tif 000003
【図２】
2018067819.tif 000004
【図３】
2018067819.tif 000005
【図４Ａ】
2018067819.tif 000006
【図４Ｂ】
2018067819.tif 000007
【図４Ｃ】
2018067819.tif 000008
【図４Ｄ】
2018067819.tif 000009
【図５】
2018067819.tif 000010
【図６】
2018067819.tif 000011
【図７】
2018067819.tif 000012